(57)【特許請求の範囲】
【請求項１】
周波数軸上において送信信号のスペクトラムを複数のサブスペクトラムに分割するスペクトラム分割手段と、
振幅および位相の校正係数を用いて複数の前記サブスペクトラムの送信信号の振幅および位相を調整し、隣接する前記サブスペクトラム間において重畳する周波数帯域の送信信号のうちいずれか一方の前記重畳する周波数帯域の送信信号の位相を反転させる振幅・位相調整手段と、
前記振幅・位相調整手段により調整された複数の前記サブスペクトラムの送信信号をそれぞれ送信する複数の送信機と、
複数の前記送信機により送信された送信信号が空間合成された合成信号のうち、隣接する前記サブスペクトラム間ごとに前記重畳する周波数帯域の合成信号の電力を取得する電力取得手段と、
前記電力取得手段により取得された前記重畳する周波数帯域の合成信号の電力を用い、前記振幅・位相調整手段で用いる前記振幅および位相の校正係数を更新する更新手段と
を備え、
前記更新手段は、隣接する前記サブスペクトラム間ごとに前記重畳する周波数帯域の合成信号の電力を最小にする当該サブスペクトラム間の位相差であるオフセット位相角を算出し、基準となる前記サブスペクトラムと更新対象の前記サブスペクトラムとの間の全ての隣接する前記サブスペクトラム間で算出された前記オフセット位相角を加算した加算値を更新対象の前記サブスペクトラムの送信信号の前記位相の校正係数として更新する
ことを特徴とする無線通信システムの送信装置。
【請求項２】
周波数軸上において送信信号のスペクトラムを複数のサブスペクトラムに分割するスペクトラム分割処理と、
振幅および位相の校正係数を用いて複数の前記サブスペクトラムの送信信号の振幅および位相を調整し、隣接する前記サブスペクトラム間において重畳する周波数帯域の送信信号のうちいずれか一方の前記重畳する周波数帯域の送信信号の位相を反転させる振幅・位相調整処理と、
前記振幅・位相調整処理により調整された複数の前記サブスペクトラムの送信信号をそれぞれ送信する送信処理と、
前記送信処理により送信された送信信号が空間合成された合成信号のうち、隣接する前記サブスペクトラム間ごとに前記重畳する周波数帯域の合成信号の電力を取得する電力取得処理と、
前記電力取得処理により取得された前記重畳する周波数帯域の合成信号の電力を用い、前記振幅・位相調整処理で用いる前記振幅および位相の校正係数を更新する更新処理と
を実行し、
前記更新処理では、隣接する前記サブスペクトラム間ごとに前記重畳する周波数帯域の合成信号の電力を最小にする当該サブスペクトラム間の位相差であるオフセット位相角を算出し、基準となる前記サブスペクトラムと更新対象の前記サブスペクトラムとの間の全ての隣接する前記サブスペクトラム間で算出された前記オフセット位相角を加算した加算値を更新対象の前記サブスペクトラムの送信信号の前記位相の校正係数として更新する
ことを特徴とする無線通信システムの送信方法。
【発明の詳細な説明】
【技術分野】
【０００１】
本発明は、無線通信システムの送信装置および無線通信システムの送信方法に関する。
【背景技術】
【０００２】
例えば、無線通信システムには、複数のアンテナを用い、送信信号の周波数帯域をアンテナの数で分割し、分割した各周波数帯域（以下、サブスペクトラムとも称される）の信号を各アンテナで送信し、空間上で元の送信信号に再合成する帯域分割アレーがある。これにより、無線通信システムは、変調および復調方式に依らず、アンテナの数に応じたＥＩＲＰ（Equivalent Isotropic Radiated Power）を向上させることができる。
【０００３】
しかしながら、各サブスペクトラムの送信信号は、各アンテナで送信される際に、ＢＵＣ（Block Up Converter）におけるＫｕバンド等の送信周波数への変換処理等により、サブスペクトラム間で位相のズレが生じることがある。この位相のズレにより、無線通信システムは、所望のＥＩＲＰを得られないことがある。
【０００４】
そこで、隣接するサブスペクトラム間の送信信号の位相を互いに反転させて、再合成された送信信号の分割周波数における信号電力が最小となるように、送信信号の各サブスペクトラムでの振幅および位相を調整し、ＥＩＲＰを向上させる技術が提案されている（例えば、特許文献１、２参照）。また、各サブスペクトラムの送信信号の信号電力が最大となるように、各サブスペクトラムの送信信号の位相を所定の角度ごとに変化させて調整しＥＩＲＰの向上を図るステップトラック制御の技術が提案されている（例えば、特許文献３参照）。
【先行技術文献】
【特許文献】
【０００５】
【特許文献１】特開２０１３−４８３４８号公報
【特許文献２】特開２０１４−２０７５５３号公報
【特許文献３】特開２０１３−２７００４号公報
【発明の概要】
【発明が解決しようとする課題】
【０００６】
従来の無線通信システムは、送信信号の信号電力をモニタリングして各サブスペクトラムの送信信号の位相を調整するため、複数回の送信信号の送受信を行う必要がある。すなわち、従来の無線通信システムは、各サブスペクトラムの送信信号の位相が調整されるまでに、時間がかかるという問題がある。
【０００７】
また、ステップトラック制御では、アンテナごとにサブスペクトラムの送信信号の位相を順次に調整するため、アンテナの数が増加するに従い調整の時間がかかってしまう。
【０００８】
本発明は、アンテナの数に依存することなく、従来と比べて短い時間で各サブスペクトラムの送信信号の位相を調整できる無線通信システムの送信装置および無線通信システムの送信方法を提供することを目的とする。
【課題を解決するための手段】
【０００９】
第１の発明は、周波数軸上において送信信号のスペクトラムを複数のサブスペクトラムに分割するスペクトラム分割手段と、振幅および位相の校正係数を用いて複数のサブスペクトラムの送信信号の振幅および位相を調整し、隣接するサブスペクトラム間において重畳する周波数帯域の送信信号のうちいずれか一方の重畳する周波数帯域の送信信号の位相を反転させる振幅・位相調整手段と、振幅・位相調整手段により調整された複数のサブスペクトラムの送信信号をそれぞれ送信する複数の送信機と、複数の送信機により送信された送信信号が空間合成された合成信号のうち、隣接するサブスペクトラム間ごとに重畳する周波数帯域の合成信号の電力を取得する電力取得手段と、電力取得手段により取得された重畳する周波数帯域の合成信号の電力を用い、振幅・位相調整手段で用いる振幅および位相の校正係数を更新する更新手段とを備え、更新手段は、隣接するサブスペクトラム間ごとに重畳する周波数帯域の合成信号の電力を最小にする当該サブスペクトラム間の位相差であるオフセット位相角を算出し、基準となるサブスペクトラムと更新対象のサブスペクトラムとの間の全ての隣接するサブスペクトラム間で算出されたオフセット位相角を加算した加算値を更新対象のサブスペクトラムの送信信号の位相の校正係数として更新する。
【００１１】
第２の発明は、周波数軸上において送信信号のスペクトラムを複数のサブスペクトラムに分割するスペクトラム分割処理と、振幅および位相の校正係数を用いて複数のサブスペクトラムの送信信号の振幅および位相を調整し、隣接するサブスペクトラム間において重畳する周波数帯域の送信信号のうちいずれか一方の重畳する周波数帯域の送信信号の位相を反転させる振幅・位相調整処理と、振幅・位相調整処理により調整された複数のサブスペクトラムの送信信号をそれぞれ送信する送信処理と、送信処理により送信された送信信号が空間合成された合成信号のうち、隣接するサブスペクトラム間ごとに重畳する周波数帯域の合成信号の電力を取得する電力取得処理と、電力取得処理により取得された重畳する周波数帯域の合成信号の電力を用い、振幅・位相調整処理で用いる振幅および位相の校正係数を更新する更新処理とを実行し、更新処理では、隣接するサブスペクトラム間ごとに重畳する周波数帯域の合成信号の電力を最小にする当該サブスペクトラム間の位相差であるオフセット位相角を算出し、基準となるサブスペクトラムと更新対象のサブスペクトラムとの間の全ての隣接するサブスペクトラム間で算出されたオフセット位相角を加算した加算値を更新対象のサブスペクトラムの送信信号の位相の校正係数として更新する。
【発明の効果】
【００１３】
本発明は、アンテナの数に依存することなく、従来と比べて短い時間で各サブスペクトラムの送信信号の位相を調整できる。
【図面の簡単な説明】
【００１４】
【図１】無線通信システムの送信装置の一実施形態を示す図である。
【図２】送信信号のスペクトラムとサブスペクトラムとの関係の一例を示す図である。
【図３】図２に示したサブスペクトラムが空間合成された合成信号のスペクトラムの一例を示す図である。
【図４】図１に示した無線通信システムの送信装置における送信処理の一例を示す図である。
【発明を実施するための形態】
【００１５】
以下、図面を用いて実施形態について説明する。
【００１６】
図１は、無線通信システムの送信装置の一実施形態を示す。
【００１７】
図１に示した無線通信システムの送信装置２００は、変調器１０、ＤＦＴ（Discrete Fourier Transform）部２０、ｎ個のスペクトラム分割回路３０（３０（１）−３０（ｎ））およびｎ個の振幅・位相調整回路４０（４０（１）−４０（ｎ））を有する。送信装置２００は、ｎ個のＩＤＦＴ（Inverse Discrete Fourier Transform）部５０（５０（１）−５０（ｎ））、ｎ個の送信機６０（６０（１）−６０（ｎ））、受信機７０およびスペクトラム分析器８０を有する。
【００１８】
変調器１０は、ＱＰＳＫ（Quadrature Phase Shift Keying）等の変調方式に基づいて、送信するデータを含む送信信号を生成し、生成した送信信号をＤＦＴ部２０に出力する。
【００１９】
ＤＦＴ部２０は、変調器１０から受信した送信信号に離散フーリエ変換の処理を実行し、送信信号のスペクトラムを算出する。ＤＦＴ部２０は、算出した送信信号のスペクトラムを、各スペクトラム分割回路３０に出力する。
【００２０】
スペクトラム分割回路３０は、受信した送信信号のスペクトラムのうち、予め設定された帯域分割重み係数ＣＷ（ＣＷ１−ＣＷｎ）に応じた周波数帯域のサブスペクトラムの送信信号を通過させる。例えば、スペクトラム分割回路３０は、受信した送信信号のスペクトラムと帯域分割重み係数ＣＷとを乗算する乗算器３１を有する。例えば、スペクトラム分割回路３０（１）の場合、乗算器３１は、送信信号のスペクトラムのうち帯域分割重み係数ＣＷ１に応じたサブスペクトラムの送信信号を通過させる。スペクトラム分割回路３０（２）−３０（ｎ）についても、スペクトラム分割回路３０（１）と同様に動作し、帯域分割重み係数ＣＷ２−ＣＷｎに応じた互いに異なる周波数帯域のサブスペクトラムの送信信号をそれぞれ通過させる。すなわち、スペクトラム分割回路３０（１）−３０（ｎ）は、コサインロールオフフィルタ等として動作し、送信信号のスペクトラムをｎ個のサブスペクトラムに分割する。
【００２１】
なお、帯域分割重み係数ＣＷは、送信装置２００に含まれるメモリ等の記憶装置に予め記憶される。帯域分割重み係数ＣＷ１−ＣＷｎは、各サブスペクトラムの帯域幅が同じになるように設定されてもよく、送信機６０の送信性能（すなわちＥＩＲＰ）に応じて設定されてもよい。
【００２２】
振幅・位相調整回路４０は、スペクトラム分割回路３０を通過してきた送信信号のサブスペクトラムにおける振幅および位相を、スペクトラム分析器８０により指示された校正係数を用いて調整する。すなわち、振幅・位相調整回路４０は、スペクトラム分析器８０から指示された振幅および位相の校正係数を用いて、サブスペクトラムの送信信号の振幅および位相を、他のサブスペクトラムの送信信号の振幅および位相と互いに揃うように調整する。振幅および位相が調整されたサブスペクトラムの送信信号が各送信機６０を介して送信されることで、送信前の送信信号が有するスペクトラムと同じスペクトラムの信号が空間合成される。
【００２３】
また、振幅・位相調整回路４０は、互いに隣接するサブスペクトラム間において重畳する周波数帯域の送信信号のうちいずれか一方の周波数帯域の送信信号の位相を反転させる。振幅・位相調整回路４０による位相の反転処理については、図２で説明する。その後、振幅・位相調整回路４０は、処理したサブスペクトラムの送信信号をＩＤＦＴ部５０に出力する。なお、帯域分割重み係数ＣＷを調整することで、振幅・位相調整回路４０は、スペクトラム分割回路３０と合わせた構成にしてもよい。
【００２４】
ＩＤＦＴ部５０は、振幅・位相調整回路４０から受信したサブスペクトラムの送信信号に逆離散フーリエ変換の処理を実行し、時間方向に変化するサブスペクトラムの送信信号に変換する。ＩＤＦＴ部５０は、変換したサブスペクトラムの送信信号を送信機６０に出力する。
【００２５】
送信機６０は、電力増幅器およびＢＵＣ（Block Up Converter）等を含み、ＩＤＦＴ部５０から受信したサブスペクトラムの送信信号の電力を増幅するとともに、サブスペクトラムの送信信号の周波数をＫｕバンド等の送信周波数に変換する。送信機６０は、送信機６０に含まれるアンテナを介してサブスペクトラムの送信信号を送信する。
【００２６】
受信機７０は、受信機７０が有するアンテナを介して、各送信機６０により送信されたサブスペクトラムの送信信号を、空間合成された合成信号として受信する。なお、衛星通信の場合、受信機７０は、通信衛星等からの折り返し信号を、合成信号として受信してもよい。
【００２７】
スペクトラム分析器８０は、受信機７０により受信された合成信号のうち、隣接するサブスペクトラム間ごとに互いに重畳する周波数帯域における合成信号の信号電力を取得する。スペクトラム分析器８０は、取得した各周波数帯域の合成信号の信号電力を用い、振幅・位相調整回路４０が調整する各サブスペクトラムの送信信号の振幅および位相の校正係数を更新する。スペクトラム分析器８０の動作については、図３で説明する。
【００２８】
図２は、送信信号のスペクトラムとサブスペクトラムとの関係の一例を示す。図２（ａ）は、図１に示したＤＦＴ部２０の離散フーリエ変換により算出された送信信号のスペクトラムＳＰの分布を示す。図２（ｂ）は、図２（ａ）に示した送信信号のスペクトラムＳＰが、例えば、５つのスペクトラム分割回路３０により分割周波数ｆ１−ｆ４ごとに分割された５つのサブスペクトラムＳＢ１−ＳＢ５を示す。なお、５つのサブスペクトラムＳＢ１−ＳＢ５は、各分割周波数ｆ１−ｆ４で分割されるように設定された帯域分割重み係数ＣＷ１−ＣＷ５に応じた周波数の帯域幅を示す。そして、設定された帯域分割重み係数ＣＷ１−ＣＷ５の値は、送信装置２００の記憶装置に記憶される。
【００２９】
振幅・位相調整回路４０は、例えば、図２（ｂ）に示した隣接するサブスペクトラムＳＢ１、ＳＢ２間で互いに重畳する周波数帯域Δｆ１において、サブスペクトラムＳＢ２の送信信号の位相を１８０度反転させる。振幅・位相調整回路４０は、周波数帯域Δｆ２−Δｆ４の各々についても、周波数帯域Δｆ１と同様に、サブスペクトラムＳＢ３−ＳＢ５の各々の送信信号の位相を１８０度反転させる。なお、振幅・位相調整回路４０は、各周波数帯域Δｆ１−Δｆ４において、サブスペクトラムＳＢ１−ＳＢ４の送信信号の位相をそれぞれ反転させてもよい。また、帯域分割重み係数ＣＷ１−ＣＷ５の値を調整することで、各スペクトラム分割回路３０が、各周波数帯域Δｆ１−Δｆ４におけるサブスペクトラムＳＢ２−ＳＢ５の送信信号の位相をそれぞれ反転させてもよい。
【００３０】
図３は、図２に示したサブスペクトラムＳＢ１−ＳＢ５が空間合成された合成信号のスペクトラムＳＰ２の一例を示す。合成信号のスペクトラムＳＰ２は、各周波数帯域Δｆ１−Δｆ４のサブスペクトラムＳＢ２−ＳＢ５の送信信号の位相が反転されるため、各周波数帯域Δｆ１−Δｆ４における合成信号の信号電力は、図２（ａ）に示した送信信号のスペクトラムＳＰの信号電力と比べて小さくなる。そして、図２（ｂ）に示した各サブスペクトラムＳＢ１−ＳＢ５の送信信号の振幅および位相が互いに一致する場合、合成信号のスペクトラムＳＰ２の信号電力は、分割周波数ｆ１−ｆ４において最小値を示す。
【００３１】
スペクトラム分析器８０は、例えば、ＤＦＴ部２０と同様のＤＦＴ処理を合成信号に対して実行し、図３に示した合成信号のスペクトラムＳＰ２を算出する。スペクトラム分析器８０は、算出した合成信号のスペクトラムＳＰ２のうち、周波数帯域Δｆ１−Δｆ４における合成信号の信号電力をそれぞれ取得し、取得した各周波数帯域Δｆ１−Δｆ４の合成信号の信号電力をモニタリングする。そして、スペクトラム分析器８０は、取得した各周波数帯域Δｆ１−Δｆ４の合成信号の信号電力（すなわち、各分割周波数ｆ１−ｆ４における信号電力）が最小となるように、隣接するサブスペクトラム間の位相差を補償するオフセット位相を算出する。
【００３２】
例えば、スペクトラム分析器８０は、振幅およびオフセット位相角の校正係数に正負の所定の偏差を与え、モニタリングする周波数帯域Δｆ１−Δｆ４ごとに合成信号の信号電力が小さくなる方を新たな校正係数としてそれぞれ算出し更新するステップトラック制御を実行する。あるいは、スペクトラム分析器８０は、周波数帯域Δｆ１−Δｆ４ごとに、合成信号の信号電力が最小に維持される（すなわち、隣接するサブスペクトラム間それぞれの位相差が０となる）振幅およびオフセット位相角の校正係数を算出し更新してもよい。そして、スペクトラム分析器８０は、更新した振幅およびオフセット位相角を、各振幅・位相調整回路４０にフィードバックする。
【００３３】
このように、スペクトラム分析器８０は、各周波数帯域Δｆ１−Δｆ４における合成信号の信号電力を並列にモニタリングすることで、隣接するサブスペクトラム間ごとのオフセット位相角を並列に算出できる。そして、送信装置２００は、従来と比べて短い時間で各サブスペクトラムの送信信号の位相を調整できる。
【００３４】
なお、スペクトラム分析器８０が算出するオフセット位相角は、隣接するサブスペクトラム間ごとの位相差である。このため、スペクトラム分析器８０は、式（１）を用いてサブスペクトラムごとに加算したオフセット位相角を各サブスペクトラムの送信信号に対する位相の校正係数として、各振幅・位相調整回路４０にフィードバックする。
【００３５】
【数１】
0006430898.tif 000002
【００３６】
Δθは、スペクトラム分析器８０により隣接するサブスペクトラム間において互いに重畳する周波数帯域で算出されたオフセット位相角を示す。θは、振幅・位相調整回路４０が調整するサブスペクトラムの送信信号に対するオフセット位相角であり、位相の校正係数を示す。ｋは２からｎの整数である。なお、サブスペクトラムＳＢ１の送信信号に対するオフセット位相角θ１は、他のサブスペクトラムの送信信号におけるオフセット位相角の基準となるため０に設定される。
【００３７】
また、合成信号の信号電力は、隣接するサブスペクトラム間で重畳する周波数帯域（例えば、図３に示した各周波数帯域Δｆ１−Δｆ４）で減衰するため、送信装置２００における送信可能な通信容量が減少する。そこで、送信装置２００は、隣接するサブスペクトラム間で重畳する周波数帯域の幅をスペクトラムＳＰ２と比べて小さく設定するとともに、誤り訂正処理を合成信号に実行することで、復調時のＣ／Ｎ比劣化を回避してもよい。
【００３８】
また、例えば、スペクトラム分析器８０が振幅およびオフセット位相角の校正を実行しない場合、振幅・位相調整回路４０は、隣接するサブスペクトラム間の送信信号のうち重畳する周波数帯域のいずれか一方のサブスペクトラムの送信信号の位相を反転しなくてもよい。これにより、送信装置２００は、通信容量の低下を回避できる。
【００３９】
図４は、図１に示した無線通信システムの送信装置２００における送信処理の一例を示す。図４に示した処理は、例えば、送信装置２００に含まれるプロセッサ等が記憶装置に記憶される制御プログラム等を実行することにより実現される。なお、図４に示した処理は、送信装置２００に設けられるハードウェアにより実行されてもよい。
【００４０】
ステップＳ１００では、変調器１０は、ＱＰＳＫ等の変調方式に基づいて、送信するデータを含む送信信号を生成し、生成した送信信号をＤＦＴ部２０に出力する。
【００４１】
ステップＳ１１０では、ＤＦＴ部２０は、ステップＳ１００で生成された送信信号に離散フーリエ変換の処理を実行し、送信信号のスペクトラムを算出する。ＤＦＴ部２０は、算出した送信信号のスペクトラムを、各スペクトラム分割回路３０に出力する。
【００４２】
ステップＳ１２０では、各スペクトラム分割回路３０は、受信した送信信号のスペクトラムを、帯域分割重み係数ＣＷに応じたサブスペクトラムに分割する。スペクトラム分割回路３０は、分割したサブスペクトラムの送信信号を振幅・位相調整回路４０に出力する。
【００４３】
ステップＳ１３０では、振幅・位相調整回路４０は、ステップＳ１２０で分割されたサブスペクトラムの送信信号に対する振幅および位相を調整する。
【００４４】
ステップＳ１４０では、振幅・位相調整回路４０は、隣接するサブスペクトラム間の送信信号のうち重畳する周波数帯域のいずれか一方の送信信号の位相を反転させる。振幅・位相調整回路４０は、処理したサブスペクトラムの送信信号をＩＤＦＴ部５０に出力する。
【００４５】
ステップＳ１５０では、ＩＤＦＴ部５０は、振幅・位相調整回路４０から受信したサブスペクトラムの送信信号に逆離散フーリエ変換の処理を実行し、時間方向に変化するサブスペクトラムの送信信号に変換する。ＩＤＦＴ部５０は、変換したサブスペクトラムの送信信号を送信機６０に出力する。
【００４６】
ステップＳ１６０では、送信機６０は、送信機６０に含まれるアンテナを介して、各サブスペクトラムの送信信号を送信する。
【００４７】
ステップＳ１７０では、受信機７０は、各送信機６０により送信されたサブスペクトラムの送信信号を、空間合成された合成信号として受信する。
【００４８】
ステップＳ１８０では、スペクトラム分析器８０は、ステップＳ１７０で受信された合成信号のうち隣接するサブスペクトラム間ごとに重畳する周波数帯域の信号電力を用い、隣接するサブスペクトラム間ごとの振幅およびオフセット位相角Δθを算出する。例えば、スペクトラム分析器８０は、ＤＦＴ処理を合成信号に対して実行し、合成信号のスペクトラムＳＰ２を算出する。スペクトラム分析器８０は、算出した合成信号のスペクトラムＳＰ２のうち、隣接するサブスペクトラム間において互いに重畳する周波数帯域での合成信号の信号電力を取得する。スペクトラム分析器８０は、取得した各周波数帯域における合成信号の信号電力（例えば、図３に示した各分割周波数ｆ１−ｆ４における信号電力）が最小となるように、隣接するサブスペクトラム間ごとの振幅および位相差を補償するオフセット位相Δθを算出する。
【００４９】
ステップＳ１９０では、スペクトラム分析器８０は、隣接する全てのサブスペクトラム間のオフセット位相角Δθを算出したか否かを判定する。スペクトラム分析器８０が全てのサブスペクトラム間のオフセット位相角Δθを算出した場合、送信装置２００の処理はステップＳ２００に移る。一方、スペクトラム分析器８０が全てのサブスペクトラム間のオフセット位相角Δθを算出していない場合、送信装置２００の処理はステップＳ１８０に移る。
【００５０】
ステップＳ２００では、スペクトラム分析器８０は、ステップＳ１８０で算出した隣接するサブスペクトラム間ごとのオフセット位相角Δθと式（１）とを用い、各サブスペクトラムの送信信号のオフセット位相角θを算出する。
【００５１】
ステップＳ２１０では、スペクトラム分析器８０は、全てのサブスペクトラムの送信信号のオフセット位相角θを算出したか否かを判定する。スペクトラム分析器８０が全てのサブスペクトラムの送信信号のオフセット位相角Δθを算出した場合、送信装置２００の処理はステップＳ２２０に移る。一方、スペクトラム分析器８０が全てのサブスペクトラムの送信信号のオフセット位相角Δθを算出していない場合、送信装置２００の処理はステップＳ２００に移る。
【００５２】
ステップＳ２２０では、スペクトラム分析器８０は、ステップＳ１８０で算出された振幅と、ステップＳ２００で算出された各サブスペクトラムの送信信号のオフセット位相角θとを用い、各振幅・位相調整回路４０における振幅および位相の校正係数を更新する。
【００５３】
そして、送信装置２００は、ステップＳ１００からステップＳ２２０の処理を繰り返し実行する。
【００５４】
以上、図１から図４に示した実施形態では、振幅・位相調整回路４０は、隣接するサブスペクトラム間の送信信号のうち重畳する周波数帯域のいずれか一方の周波数帯域の送信信号の位相を反転させる。これにより、受信機７０が受信した合成信号は、隣接するサブスペクトラム間で重畳する各周波数帯域での信号電力（すなわち、各分割周波数における信号電力）が最小となる。スペクトラム分析器８０は、重畳する周波数帯域ごとの合成信号の信号電力を取得し、各周波数帯域での合成信号の信号電力が最小に維持されるように、振幅およびオフセット位相角を算出する。
【００５５】
すなわち、スペクトラム分析器８０は、隣接するサブスペクトラム間で重畳する各周波数帯域の合成信号の信号電力を並列にモニタリングすることで、隣接するサブスペクトラム間ごとのオフセット位相角Δθを並列に算出できる。そして、スペクトラム分析器８０は、算出した隣接するサブスペクトラム間ごとのオフセット位相角Δθと式（１）とを用い、各サブスペクトラムの送信信号のオフセット位相角θを算出する。これにより、送信装置２００は、従来と比べて短い時間で各サブスペクトラムの送信信号の位相を調整できる。
【００５６】
以上の詳細な説明により、実施形態の特徴点および利点は明らかになるであろう。これは、特許請求の範囲がその精神および権利範囲を逸脱しない範囲で前述のような実施形態の特徴点および利点にまで及ぶことを意図するものである。また、当該技術分野において通常の知識を有する者であれば、あらゆる改良および変更に容易に想到できるはずである。したがって、発明性を有する実施形態の範囲を前述したものに限定する意図はなく、実施形態に開示された範囲に含まれる適当な改良物および均等物に拠ることも可能である。
【符号の説明】
【００５７】
１０…変調器；２０…ＤＦＴ部；３０（１）−３０（ｎ）…スペクトラム分割回路；３１…乗算器；４０（１）−４０（ｎ）…振幅・位相調整回路；５０（１）−５０（ｎ）…ＩＤＦＴ部；６０（１）−６０（ｎ）…送信機；７０…受信機；８０…スペクトラム分析器；２００…送信装置；ＣＷ１−ＣＷｎ…帯域分割重み係数；ｆ１−ｆ４…分割周波数；ＳＰ，ＳＰ２…スペクトラム；ＳＢ１−ＳＢ５…サブスペクトラム
【図１】
0006430898.tif 000003
【図２】
0006430898.tif 000004
【図３】
0006430898.tif 000005
【図４】
0006430898.tif 000006